(57)【要約】【課題】建物内の空間を有効利用できるようにした建物内シェルターを提供する。【解決手段】本発明に係る建物内シェルターは、建物内の既存の壁と、建物内の既存の床と、建物内の既存の天井と、既存の壁と対向して、既存の壁（後壁４）から離れる方向及び既存の壁に近づく方向に移動可能に設けられて、既存の壁に最も近い位置、及び、既存の壁から最も離れた位置に固定される前壁５と、既存の壁から最も離れた位置に固定された前壁の左端側と既存の壁との間を塞ぐ左壁６と、既存の壁から最も離れた位置に固定された前壁の右端側と既存の壁との間を塞ぐ右壁７とを備えた。【選択図】図２
2020165267.tif 000002
【特許請求の範囲】
【請求項１】
建物内の既存の壁と、
建物内の既存の床と、
建物内の既存の天井と、
既存の壁と対向して、既存の壁から離れる方向及び既存の壁に近づく方向に移動可能に設けられて、既存の壁に最も近い位置、及び、既存の壁から最も離れた位置に固定される前壁と、
既存の壁から最も離れた位置に固定された前壁の左端側と既存の壁との間を塞ぐ左壁と、
既存の壁から最も離れた位置に固定された前壁の右端側と既存の壁との間を塞ぐ右壁とを備えたことを特徴とする建物内シェルター。
【請求項２】
左壁及び右壁は、前壁が既存の壁から離れる方向に移動するのに伴って連動して前壁と既存の壁との間を塞ぐように構成されたことを特徴とする請求項１に記載の建物内シェルター。
【請求項３】
天井と天井と対向する前壁の上端側との間、及び、床と床と対向する前壁の下端側との間の少なくとも一方には、前壁の移動をガイドする移動ガイド手段を備えたことを特徴とする請求項１又は請求項２に記載の建物内シェルター。
【請求項４】
左壁及び右壁は、既存の壁側に倒伏した状態から既存の壁に対して交差する状態に起立する壁により構成されたことを特徴とする請求項１乃至請求項３のいずれか一項に記載の建物内シェルター。
【請求項５】
左壁及び右壁は、シャッターのスラットカーテンにより構成されたことを特徴とする請求項１乃至請求項３のいずれか一項に記載の建物内シェルター。
【発明の詳細な説明】
【技術分野】
【０００１】
本発明は、建物内で、使用時状態と非使用時状態とに設定可能に構成された建物内シェルターに関する。
【背景技術】
【０００２】
建物内にシェルターを備えた建物内シェルターが知られている（特許文献１，２等参照）。
【先行技術文献】
【特許文献】
【０００３】
【特許文献１】特許第６４２７２４０号公報
【特許文献２】特開２０１６−２１７０８３号公報
【発明の概要】
【発明が解決しようとする課題】
【０００４】
しかしながら、上述した建物内シェルターによれば、非使用時状態に設定することができず、非常時以外において建物内の空間を有効利用できないという課題があった。
本発明は、建物内の空間を有効利用できるようにした建物内シェルターを提供するものである。
【課題を解決するための手段】
【０００５】
本発明に係る建物内シェルターは、建物内の既存の壁と、建物内の既存の床と、建物内の既存の天井と、既存の壁と対向して、既存の壁から離れる方向及び既存の壁に近づく方向に移動可能に設けられて、既存の壁に最も近い位置、及び、既存の壁から最も離れた位置に固定される前壁と、既存の壁から最も離れた位置に固定された前壁の左端側と既存の壁との間を塞ぐ左壁と、既存の壁から最も離れた位置に固定された前壁の右端側と既存の壁との間を塞ぐ右壁とを備えたことを特徴とするので、非常時には前壁が既存の壁から最も離れた位置に固定されてシェルターとして機能するとともに、非常時以外においては前壁が既存の壁に最も近い位置に固定される非使用時状態に設定されて建物内の空間を有効利用できるようになる。
また、左壁及び右壁は、前壁が既存の壁から離れる方向に移動するのに伴って連動して前壁と既存の壁との間を塞ぐように構成されたことを特徴とするので、非常時において、早く簡単にシェルターを構築できるため、緊急時に素早く対応できるようになる。
また、天井と天井と対向する前壁の上端側との間、及び、床と床と対向する前壁の下端側との間の少なくとも一方には、前壁の移動をガイドする移動ガイド手段を備えたことを特徴とするので、前壁を容易に移動させることができ、操作性に優れた建物内シェルターを提供できる。
また、左壁及び右壁は、既存の壁側に倒伏した状態から既存の壁に対して交差する状態に起立する壁により構成されたり、シャッターのスラットカーテンにより構成されたことを特徴とするので、非常時において、早く簡単にシェルターを構築できるため、緊急時に素早く対応できるようになる。
【図面の簡単な説明】
【０００６】
【図１】建物内シェルターを示す斜視図（実施形態１）。
【図２】建物内シェルターの動作説明図（実施形態１）。
【図３】上方から見た可動壁の動作説明図（実施形態１）。
【図４】前壁を未使用状態に維持するためのストッパ手段の一例を示す図（実施形態１）。
【図５】前壁の移動ガイド手段を示す断面図（実施形態１）。
【図６】建物内シェルターの動作説明図（実施形態５）。
【図７】上方から見た可動壁の動作説明図（実施形態５）。
【図８】前壁の移動ガイド手段、及び、左壁を構成するスラットカーテンの移動ガイド手段を示す断面図（実施形態５）。
【発明を実施するための形態】
【０００７】
実施形態１
図１に示すように、実施形態１に係る建物内シェルター１は、建物内で未使用状態と使用状態とに設定でき、使用状態においてはシェルターとして使用でき、未使用状態においては、既存の固定壁に沿わせた状態にできて、建物内の空間を有効利用できるようにした建物内シェルター１である。
【０００８】
当該建物内シェルター１は、建物内の既存の固定壁と、建物内の既存の床２と、建物内の既存の天井３と、可動壁とを備えて構成される。
【０００９】
固定壁は、例えば教室のような部屋Ａの壁４である。
可動壁は、例えば壁４の前側に位置される前壁５、左壁６、右壁７である。
尚、壁４は、前壁５の後側に位置するため、以後、後壁４という。
【００１０】
前壁５は、壁面が後壁４の壁面と平行に対向した状態で、当該後壁４から離れる方向及び当該後壁４に近づく方向に、移動ガイド手段３０を介して移動可能に設けられている。
即ち、前壁５は、後壁４に最も近い位置に固定される未使用状態から後壁４の前方に移動可能であるとともに、後壁４から最も離れた位置に固定される使用状態から後壁４に近づく方向に移動可能であるように構成されている。
尚、後壁４から最も離れた位置と後壁４との間の距離は、自由に設定すれば良いが、例えば、数ｍ〜十数ｍに設定される。
【００１１】
左壁６は、前壁５が後壁４から最も離れた位置に固定される使用状態に設定された場合に、当該前壁５の左端側と後壁４との間を塞ぐ所定厚さの戸（ドア）壁により形成される。
同様に、右壁７は、前壁５が後壁４から最も離れた位置に固定される使用状態に設定された場合に、当該前壁５の右端側と後壁４との間を塞ぐ所定厚さの戸（ドア）壁により形成される。
【００１２】
前壁５は、例えば、後壁４の壁面と平行に対向する裏壁面５ａと前壁面５ｂとを有した所定厚さの壁により構成される。
例えば、前壁面５ｂが例えば教室のような部屋Ａの正面壁を構成する場合には、当該前壁面５ｂに黒板５ｃが設置される。
【００１３】
前壁５の左縁側における裏壁面５ａには、左壁６を構成する戸壁の他方の側部６１側（戸先側）の側枠６２が設けられる。
そして、左壁６の他方の側部６１側（戸先側）には、通常の戸（ドア）と同様に、ハンドル６５、図外のシリンダー、サムターン等が設けられ、当該側部６１の端面には、ハンドル６５の操作により出没する図外のラッチボルト、シリンダーやサムターンの操作により出没するデッドボルト等が設けられ、当該側部６１の端面と対向する側枠６２の後端面には、ラッチボルト及びデッドボルトを収容する凹部が形成されている。
同様に、前壁５の右縁側における裏壁面５ａには、右壁７を構成する戸壁の他方の側部７１側（戸先側）の側枠７２が設けられる。当該側部７１側（戸先側）及び側枠７２は、上述した側部６１側（戸先側）及び側枠６２と同じ構成を備える。
【００１４】
前壁５の左縁側における裏壁面５ａに設けられた側枠６２と対向する後壁４の壁面には、左壁６を構成する戸壁の一方の側部６３側（戸尻側）の側枠６４が設けられる。
同様に、前壁５の右縁側における裏壁面５ａに設けられた側枠７２と対向する後壁４の壁面には、右壁７を構成する戸壁の一方の側部７３側（戸尻側）の側枠７４が設けられる。
【００１５】
そして、図３に示すように、左壁６の一方の側部６３側が後壁４に設けられた側枠６４に例えばスプリングヒンジ２１を介して取付けられていることにより、左壁６が後壁４側に倒伏した状態からスプリングヒンジ２１を回転中心として観音開きのように後壁４の前方に向けて回転可能に構成されている。
同様に、右壁７の一方の側部７３側が後壁４に設けられた側枠７４に例えばスプリングヒンジ２１を介して取付けられていることにより、左壁６が後壁４側に倒伏した状態からスプリングヒンジ２１を回転中心として観音開きのように後壁４の前方に向けて回転可能に構成されている。
【００１６】
また、前壁５を未使用状態、即ち、前壁５を後壁４に最も近い位置に固定した状態に維持するためのストッパ手段を備える。
当該ストッパ手段は、例えば図４に示すように、側枠６４に設けられたストッパ片６６及び前壁５の左の側枠６２の外側面に設けられたストッパ軸６７で構成された左側ストッパ手段と、前壁５の右の側枠７４に設けられた図外のストッパ片（ストッパ片６６と同じもの）及び前壁５の右の側枠７２の外側面に設けられた図外のストッパ軸（ストッパ軸６７と同じもの）で構成された右側ストッパ手段とにより構成される。
【００１７】
図５に示すように、前壁５の移動ガイド手段３０は、天井３に設けられた移動面形成手段３１と、前壁５の左縁側に設けられた側枠６２の上端面に設けられた移動体構成手段３２とを備える。
即ち、天井３と天井３と対向する前壁５の左縁側に設けられた側枠６２の上端側との間に、前壁５の移動をガイドするための移動ガイド手段３０を備えている。
【００１８】
移動面形成手段３１は、例えば図５に示すような、断面Ｉ形の長尺材、即ち、Ｉ字の一方の横部分を形成する長尺板３１ａの幅方向中央側とＩ字の他方の横部分を形成する長尺板３１ｃの幅方向中央側とがＩ字の縦部分を形成する長尺板３１ｂにより連結された構成の断面Ｉ形の長尺材により形成される。
【００１９】
移動体構成手段３２は、例えば図５に示すような、断面凹形の長尺材３２ａと車輪３２ｂとを備える。
長尺材３２ａは、一方の側壁部分を形成する長尺板の下端と他方の側壁部分を形成する長尺板の下端とが底壁部分を形成する長尺板により連結された構成の断面凹形の長尺材により形成される。
長尺材３２ａの底壁部分がねじ３２ｘ等の取付部材により、前壁５の左の側枠６２の上端面に固定される。
長尺材３２ａの左右の側壁部分には、それぞれ、車輪３２ｂが、車軸３２ｃを介して回転可能に取付けられている。
【００２０】
移動面形成手段３１は、前壁５の左縁側に設けられた側枠６２の移動予定部に対応する天井３の位置に固定される。例えば、Ｉ字の一方の横部分を形成する長尺板３１ａの長手方向が側枠６２の移動予定部に沿って延長するように、当該長尺板３１ａがねじ３１ｘ等の取付部材によって天井３に固定される。
そして、移動体構成手段３２の長尺材３２ａの左右の側壁部分に回転可能に取付けられた車輪３２ｂ，３２ｂが、移動面形成手段３１のＩ字の他方の横部分を形成する長尺板３１ｃの幅方向左右側の上板面３１ｄ；３１ｄにより形成されたガイドレールの上を転動可能なように設置されることにより、前壁５を後壁４から離れる方向及び前壁５を後壁４に近づく方向に移動させるための移動ガイド手段３０が構成される。
【００２１】
即ち、移動ガイド手段３０は、前壁５の側枠６２の上端面に設けられた車輪３２ｂ，３２ｂと、当該車輪３２ｂ，３２ｂを転動させるために天井３に設けられたガイドレール（長尺板３１ｃの幅方向左右側の上板面３１ｄ；３１ｄ）とを備えた構成である。
【００２２】
尚、図示しないが、天井３と天井３と対向する前壁５の右縁側に設けられた側枠７２の上端側との間にも、前壁５の移動をガイドするための上述した構成の移動ガイド手段３０を備えている。
【００２３】
また、ガイドレールの前端には、車輪３２ｂが衝突する図外の車輪ストッパが設けられている。
また、可動壁（前壁５、左壁６、右壁７）の下端面と既存の床２の床面との間には、隙間が形成されている。
尚、可動壁（前壁５、左壁６、右壁７）の下端面に、床２上を転動可能なキャスターのような車輪を設けても良い。
【００２４】
また、前壁５の例えば左右の側枠６２，７２の下端側には、図外の落とし錠のような軸ストッパが設けられるとともに、前壁５が後壁４から最も離れた位置に設定された場合に、当該軸ストッパと対向する既存の床２の位置には当該軸ストッパが挿入される図外のストッパ孔が形成されている。
従って、前壁５が後壁４から最も離れた位置まで移動した使用状態に設定された後、軸ストッパをストッパ孔に挿入することにより、前壁５の下端側が床２に固定されたシェルター構成状態に設定されることになる。
【００２５】
実施形態１の建物内シェルター１は、図４に示すように、ストッパ片６６をストッパ軸６７に係止させることにより、図２（ａ）、図３（ａ）に示すように、前壁５が後壁４に最も近い位置に固定された未使用状態に維持されるとともに、左壁６及び右壁７は、前壁５に抑えられて後壁４側に倒伏した状態に維持されている。
次に、ストッパ片６６をストッパ軸６７から外すと、左壁６及び右壁７が、図２（ｂ）、図３（ｂ）に示すように、スプリングヒンジ２１のスプリング力によって回動するのに伴って、左壁６及び右壁７の戸先側と接触する当該前壁５が後壁４から離れる方向に移動する。
この場合、前壁５が左壁６及び右壁７に押されて前方に移動し、左壁６の戸先側（側部６１側）の外面と前壁５の左の側枠６２の内面とが衝突するとともに、右壁７の戸先側（側部７１側）の外面と前壁５の右の側枠７２の内面とが衝突した状態となって、前壁５の前方への移動が一旦停止する。
その後、前壁５の前壁面５ｂや黒板５ｃに設けられた図外の取っ手を持って、前壁５を引っ張って後壁４から最も離れた使用状態となる位置まで前方に移動させることによって、図２（ｃ）、図３（ｃ）に示すように、左壁６を構成する戸壁の戸先側（側部６１側）の端面と側枠６２の後端面とが対向して当該前壁５の左縁側と後壁４との間を塞ぐ建物内シェルター１の左壁６が構成されるとともに、右壁７を構成する戸壁の戸先側（側部７１側）の端面と側枠７２の後端面とが対向して当該前壁５の右縁側と後壁４との間を塞ぐ建物内シェルター１の右壁７が構成される使用状態に設定される。
その後、上述したように、軸ストッパをストッパ孔に挿入することにより、前壁５の下端側が床２に固定されて、図２（ｃ）に示すように、床２と天井３と後壁４と前壁５と左壁６と右壁７とで囲まれた建物内シェルター１が構築されることになる。尚、このように構築される建物内シェルター１の左壁６と右壁７との間の距離は、自由に設定すれば良いが、例えば、数ｍ〜十数ｍに設定される。
即ち、実施形態１の建物内シェルター１は、ストッパ片６６をストッパ軸６７から解除することにより、前壁５が、左壁６及び右壁７のスプリングヒンジ２１のスプリング力によって当該左壁６及び右壁７に押圧されて前方に移動するように構成されているものである。
尚、左壁６及び右壁７には、それぞれ、出入口を構成するドア８が設けられており、図２（ｄ）に示すように、ドア８を解放することにより、建物内シェルター１に出入可能となるように構成されている。
【００２６】
実施形態１の建物内シェルター１によれば、非常時には前壁５が後壁４から最も離れた位置に固定されてシェルターとして機能するとともに、非常時以外においては前壁５が後壁４に最も近い位置に固定される非使用時状態に設定されて建物内の空間を有効利用できるようになる。
また、実施形態１の建物内シェルター１によれば、非使用時状態に維持するストッパ手段（例えば図４参照）を解除することにより、スプリングヒンジ２１のスプリング力によって、左壁６及び右壁７が前壁５を前方に移動させるように構成されたので、非常時において、早急にシェルターを構築でき、緊急時に素早く対応できる建物内シェルターとなる。
また、天井３と天井３と対向する前壁５の上端側との間に、前壁５の移動をガイドする移動ガイド手段３０，３０を備えた構成としたので、前壁５を容易に移動させることができ、操作性に優れた建物内シェルター１となる。
【００２７】
実施形態２
実施形態１の建物内シェルター１では、スプリングヒンジ２１のスプリング力によって、自動的に使用状態に設定されるように構成したが、後壁４から離れる方向への前壁５の移動に伴って、左壁６及び右壁７がスプリングヒンジ２１のスプリング力によって連動して前壁５と後壁４との間を塞ぐ使用状態に設定されるように構成された建物内シェルター１であってもよい。
即ち、実施形態２の建物内シェルター１は、前壁５の前壁面５ｂや黒板５ｃに設けられた図外の取っ手を持って、前壁５を前方に移動させることにより、この前壁５の移動に伴って、左壁６及び右壁７が、スプリングヒンジ２１のスプリング力によって追随して回転し、使用状態に設定されるように構成される。
つまり、実施形態１で用いるスプリングヒンジ２１よりも、スプリング力の弱いスプリングヒンジ２１を用いる。
【００２８】
実施形態２の建物内シェルター１によれば、非常時にはシェルターとして機能するとともに、非常時以外においては非使用時状態に設定されて建物内の空間を有効利用できるようになるとともに、非常時において、早く簡単にシェルターを構築できるため、緊急時に素早く対応できる建物内シェルターとなる。
【００２９】
実施形態３
実施形態１，２の建物内シェルター１では、スプリングヒンジ２１を用いた構成を例示したが、通常のヒンジを使用した構成であってもよい。
即ち、前壁５の前壁面５ｂや黒板５ｃに設けられた図外の取っ手を持って、前壁５を後壁４から最も離れた位置まで移動させた後、左壁６を構成する戸壁の戸先側（側部６１側）の端面と側枠６２の後端面とが対向して当該前壁５の左縁側と後壁４との間を塞ぐように左壁６を手動にて回転させ、かつ、前壁５の右縁側と後壁４との間を塞ぐように右壁７を手動にて回転させることによって、シェルター１を構築できるように構成された建物内シェルターであってもよい。
【００３０】
実施形態３の建物内シェルター１であっても、非常時にはシェルターとして機能するとともに、非常時以外においては非使用時状態に設定されて建物内の空間を有効利用できるようになるとともに、非常時において、早く簡単にシェルターを構築できるため、緊急時に素早く対応できる建物内シェルターとなる。
【００３１】
実施形態４
また、図示しないが、左壁及び右壁を別の場所に保管しておく構成としてもよい。
この場合、前壁５の表面に図外の取っ手を設け、当該取っ手を持って、前壁５を後壁４から最も離れた位置まで移動させるとともに、保管場所から持ってきた左壁を当該前壁５の左縁側と後壁４との間を塞ぐように設置し、かつ、保管場所から持ってきた右壁を当該前壁５の右縁側と後壁４との間を塞ぐように設置することによって、建物内シェルター１を構築すればよい。
【００３２】
実施形態４の建物内シェルター１であっても、非常時にはシェルターとして機能するとともに、非常時以外においては非使用時状態に設定されて建物内の空間を有効利用できるようになり、かつ、非常時において、簡単にシェルターを構築できるため、緊急時に対応できる建物内シェルターとなる。
【００３３】
実施形態５
実施形態１乃至４では、戸壁により構成された左壁６及び右壁７を備えた建物内シェルター１を例示したが、図６に示すように、シャッターのスラットカーテンにより構成された左壁６０及び右壁７０を備えた建物内シェルター１としてもよい。
【００３４】
この場合、前壁５の左縁側に設けられた側枠６２には、左壁６０を構成するスラットカーテンの他端（通常の上下に移動するスラットカーテンの下端に相当）が連結される。
そして、前壁５の左縁側に設けられた側枠６２と対向する後壁４の壁面には、シャッターボックス６０ａが設けられ、当該シャッターボックス６０ａ内に設けられた巻取りシャフト６０ｂ（図７参照）に、左壁６０を構成するスラットカーテンの一端（通常の上下に移動するスラットカーテンの上端に相当）が連結される。
【００３５】
同様に、前壁５の右縁側に設けられた側枠７２には、右壁７０を構成するスラットカーテンの他端（通常の上下に移動するスラットカーテンの下端に相当）が連結される。
そして、前壁５の右縁側に設けられた側枠７２と対向する後壁４の壁面には、シャッターボックス７０ａが設けられ、当該シャッターボックス７０ａ内に設けられた図外の巻取りシャフトに、右壁７０を構成するスラットカーテンの一端（通常の上下に移動するスラットカーテンの上端に相当）が連結される。
また、前壁５には、出入口を構成するドア８が設けられている。
【００３６】
また、図８に示すように、天井３と天井３と対向する前壁５の側枠６２，７２の上端側との間には、上述した移動ガイド手段３０を備える。
即ち、天井３に設けられた移動面形成手段３１と、前壁５の左右の側枠６２，７２の上端面にそれぞれ設けられた移動体構成手段３２とを備えて構成された移動ガイド手段３０，３０を備える。
【００３７】
また、天井３と天井３と対向する左壁６０の上端６０ｔ側との間にも、図８に示すように、左壁６０の移動をガイドするための移動ガイド手段８０を備える。
即ち、天井３に設けられた移動面形成手段８１と、左壁６０の上端側に設けられた移動体構成手段８２とを備えて構成された移動ガイド手段８０を備える。
【００３８】
移動面形成手段８１は、長尺方向に延長するガイドレール面８１ｂを備えて、ねじ８１ｃ等の取付部材により天井３に固定された長尺材８１ａにより形成される。即ち、長尺材８１ａの長手方向が左壁６０の上端６０ｔ側の移動予定部に沿って延長するように、当該長尺材８１ａがねじ８１ｃ等の取付部材によって天井３に固定される。
また、移動体構成手段８２は、左壁６０の上端６０ｔ側に回転支持脚８２ａを介してガイドレール面８１ｂを転動可能に設けられた車輪８２ｂにより形成される。
【００３９】
尚、図示しないが、天井３と天井３と対向する右壁７０の上端側との間にも、上述した移動ガイド手段８０、即ち、右壁７０の移動をガイドするための移動ガイド手段８０を備える。
【００４０】
実施形態５に係る建物内シェルター１によれば、前壁５の前壁面５ｂや黒板５ｃに設けられた図外の取っ手を持って、図６，図７に示すように、前壁５を前方に移動させることにより、左壁６０及び右壁７０を構成するスラットカーテンがシャッターボックス６０ａ，７０ａから繰り出される。
そして、前壁５を後壁４から最も離れた位置まで移動させた後、例えば、上述した軸ストッパをストッパ孔に挿入することにより、前壁５が後壁４から最も離れた位置に固定され、当該前壁５の左端側と後壁４との間を塞ぐ左壁６０、及び、当該前壁５の右端側と後壁４との間を塞ぐ右壁７０を備えた建物内シェルター１が構築される。即ち、床２と天井３と後壁４と前壁５と左壁６０と右壁７０とで囲まれた建物内シェルター１が構築されることになる（図６（ｂ）参照）。
【００４１】
実施形態５に係る建物内シェルター１によれば、非常時にはシェルターとして機能するとともに、非常時以外においては非使用時状態に設定されて建物内の空間を有効利用できるようになる。
また、実施形態５の建物内シェルター１によれば、左壁６０及び右壁７０は、前壁５が後壁４から離れる方向に移動するのに伴って連動して前壁５と後壁４との間を塞ぐスラットカーテンにより構成されたので、非常時において、早急にシェルターを構築でき、緊急時に素早く対応できる建物内シェルターとなる。
【００４２】
実施形態６
実施形態５では、左壁６０及び右壁７０を、他端が前壁５と連結されて当該前壁５と連動するスラットカーテンにより構成した例を示したが、前壁５と左壁６０及び右壁７０を構成するスラットカーテンとを連結しない構成としてもよい。即ち、前壁５を後壁４から最も離れた位置まで移動させて固定した後、左壁６０及び右壁７０を構成するスラットカーテンをシャッターボックス６０ａ，７０ａから繰り出して、スラットカーテンの他端を前壁５に連結するようにした建物内シェルターとしてもよい。
【００４３】
尚、移動ガイド手段３０は、天井３と天井３と対向する前壁５の上端側との間、及び、床２と床２と対向する前壁５の下端側との間の両方に設けることが好ましいが、天井３と天井３と対向する前壁５の上端側との間、及び、床２と床２と対向する前壁５の下端側との間の少なくとも一方に設けられていればよい。
【００４４】
また、移動ガイド手段８０は、天井３と天井３と対向する左壁６０及び右壁７０の上端側との間、及び、床２と床２と対向する左壁６０及び右壁７０の下端側との間の両方に設けることが好ましいが、天井３と天井３と対向する左壁６０及び右壁７０の上端側との間、及び、床２と床２と対向する左壁６０及び右壁７０の下端側との間の少なくとも一方に設けられていればよい。
【００４５】
また、上記では、左壁６及び右壁７は、後壁４側に倒伏した状態から後壁４に対して直交する状態に起立する壁により構成された例（図３参照）を示したが、左壁及び右壁は、後壁４側に倒伏した状態から後壁４に対して交差する状態に起立する壁により構成されていてもよい。即ち、左壁と後壁４とのなす角度α、右壁と後壁４とのなす角度αが、α＜９０°、又は、α＞９０°になる様に、左壁及び右壁が固定される構成としてもよい。
【００４６】
また、上記では、後壁４側に倒伏した状態から起立する左壁及び右壁を備えた構成を例示したが、左壁が前壁５の左の側枠６２にヒンジを介して取付けられるとともに、右壁が前壁５の右の側枠７２にヒンジを介して取付けられた構成としてもよい。
この場合、例えば、前壁５が前方に移動するのに連動して左壁及び右壁もスプリングヒンジのスプリング力で後壁４側に回動して使用状態となるように構成したり、あるいは、左壁及び右壁を前壁５の裏壁面５ａ側に倒伏させた状態としておいて、前壁５を後壁４から最も離れた位置に移動させて固定した後に、左壁及び右壁をヒンジを介して後壁４側に手動で回動することにより使用状態となるように構成すればよい。
【符号の説明】
【００４７】
１  建物内シェルター、２  既存の床、３  既存の天井、４  後壁（既存の壁）、
５  前壁、６，６０  左壁、７，７０  右壁、３０  移動ガイド手段。
【図１】
2020165267.tif 000003
【図２】
2020165267.tif 000004
【図３】
2020165267.tif 000005
【図４】
2020165267.tif 000006
【図５】
2020165267.tif 000007
【図６】
2020165267.tif 000008
【図７】
2020165267.tif 000009
【図８】
2020165267.tif 000010